(57)【要約】【課題】映像記録媒体の使用量を節約することができるとともに、消費電力を低減することができるようにする。【解決手段】映像信号の記録条件を満足している場合に限り、ネットワークインタフェース部２１により取得された映像信号を映像記録部１２に記録する記録制御部１２と、その記録条件を満足していれば、記録制御部２３及び映像記録部１２に駆動用の電力を供給して、映像信号記録装置３を通常状態に設定する一方、その記録条件を満足していなければ、記録制御部２３及び映像記録部１２に対する駆動用の電力の供給を行わずに、映像信号記録装置３をスタンバイ状態に設定するスタンバイ制御部２４とを設ける。【選択図】図１
2012165101.tif 000002
【特許請求の範囲】
【請求項１】
カメラから出力された映像信号を取得する映像信号取得手段と、外部から与えられる映像信号の記録条件を満足している場合に限り、上記映像信号取得手段により取得された映像信号を映像記録媒体に記録する映像信号記録手段と、上記記録条件を満足していれば、上記映像信号記録手段に駆動用の電力を供給して、上記映像信号記録手段を上記映像信号の記録が可能な状態に設定する一方、上記記録条件を満足していなければ、上記映像信号記録手段に対する駆動用の電力の供給を行わずに、上記映像信号記録手段をスタンバイ状態に設定する状態制御手段とを備えた映像信号記録装置。
【請求項２】
カメラから出力された映像信号を取得する映像信号取得手段と、上記カメラから出力された映像信号の記録条件を設定する記録条件設定手段と、上記記録条件設定手段により設定された記録条件を満足している場合に限り、上記映像信号取得手段により取得された映像信号を映像記録媒体に記録する映像信号記録手段と、上記記録条件設定手段により設定された記録条件を満足していれば、上記映像信号記録手段に駆動用の電力を供給して、上記映像信号記録手段を上記映像信号の記録が可能な状態に設定する一方、上記記録条件を満足していなければ、上記映像信号記録手段に対する駆動用の電力の供給を行わずに、上記映像信号記録手段をスタンバイ状態に設定する状態制御手段とを備えた映像信号記録装置。
【請求項３】
映像信号の記録条件として、映像信号を記録する監視時間帯が設定されている場合、
状態制御手段は、現在の時刻が監視時間帯内であれば、映像信号記録手段に駆動用の電力を供給して、上記映像信号記録手段を上記映像信号の記録が可能な状態に設定する一方、現在の時刻が上記監視時間帯外であれば、上記映像信号記録手段に対する駆動用の電力の供給を行わずに、上記映像信号記録手段をスタンバイ状態に設定することを特徴とする請求項１または請求項２記載の映像信号記録装置。
【請求項４】
映像信号の記録条件として、外部からアラームが通知されている状況下であることが設定されている場合、
状態制御手段は、外部からアラームが通知されていれば、映像信号記録手段に駆動用の電力を供給して、上記映像信号記録手段を上記映像信号の記録が可能な状態に設定する一方、外部からアラームが通知されていなければ、上記映像信号記録手段に対する駆動用の電力の供給を行わずに、上記映像信号記録手段をスタンバイ状態に設定することを特徴とする請求項１または請求項２記載の映像信号記録装置。
【請求項５】
記録条件設定手段により映像信号の記録条件として、映像異常が発生していない状況下であることが設定されている場合、
状態制御手段は、映像異常が検出されていなければ、映像信号記録手段に駆動用の電力を供給して、上記映像信号記録手段を上記映像信号の記録が可能な状態に設定する一方、映像異常が検出されていれば、上記映像信号記録手段に対する駆動用の電力の供給を行わずに、上記映像信号記録手段をスタンバイ状態に設定することを特徴とする請求項１または請求項２記載の映像信号記録装置。
【発明の詳細な説明】
【技術分野】
【０００１】
この発明は、例えば、監視領域を撮影して、その監視領域の映像信号を映像記録媒体に記録する映像信号記録装置に関するものである。
【背景技術】
【０００２】
セキュリティーシステムなどの映像信号記録装置では、監視用カメラにより撮影された映像信号を長時間にわたって映像記録媒体に記録する。
したがって、映像記録媒体に記録される映像信号のデータ量が膨大な量になるため、データ量を軽減する工夫がなされている。
映像信号がアナログ信号である場合、映像信号をタイムラプスビデオレコーダーに記録することが一般的である。
映像信号がデジタル信号である場合、映像記録媒体を複数台の記録装置（例えば、ハードディスク、光磁気ディスクなど）で構成し、映像符号化圧縮技術を用いて、映像信号のデータ量を１／１０以下に圧縮してから、圧縮後の映像信号を記録装置に記録することが一般的である。
【０００３】
しかしながら、ユーザが運用上要望する映像信号の記録時間は、記録装置で構成可能な映像記録媒体の記録可能量を遥かに超えてしまうことが多いため、従来の映像信号記録装置では、先に記録装置に記録されている古い映像信号に対して、最新の映像信号を上書きするなどの処理が行なわれる。
また、重要な映像信号については、ユーザが外部機器などにコピーするなどで対処している。
【０００４】
従来の映像信号記録装置では、ユーザが映像信号の記録停止操作を行わない限り、監視領域の変化の有無に関係なく、連続的に映像信号を映像記録媒体に記録することになり、映像記録媒体の記録容量を無駄に使用してしまうことになる。
以下の特許文献１には、連続的に映像信号を映像記録媒体に記録することによる記録容量の無駄使用を防止するために、動きのある映像信号については動画で記録し、動きの無い映像信号については静止画で記録する映像信号記録装置が開示されている。
【先行技術文献】
【特許文献】
【０００５】
【特許文献１】特開平１１−１８０７６号公報（段落番号［０００８］、図１）
【発明の概要】
【発明が解決しようとする課題】
【０００６】
従来の映像信号記録装置は以上のように構成されているので、連続的に映像信号を映像記録媒体に記録することによる記録容量の無駄使用を防止している。しかし、動きの無い映像信号についても静止画で記録しているため、使用量の節約が十分ではなく、また、電力も無駄に消費しているという課題があった。
【０００７】
この発明は上記のような課題を解決するためになされたもので、映像記録媒体の使用量を節約することができるとともに、消費電力を低減することができる映像信号記録装置を得ることを目的とする。
【課題を解決するための手段】
【０００８】
この発明に係る映像信号記録装置は、カメラから出力された映像信号を取得する映像信号取得手段と、外部から与えられる映像信号の記録条件を満足している場合に限り、映像信号取得手段により取得された映像信号を映像記録媒体に記録する映像信号記録手段と、その記録条件を満足していれば、映像信号記録手段に駆動用の電力を供給して、映像信号記録手段を映像信号の記録が可能な状態に設定する一方、その記録条件を満足していなければ、映像信号記録手段に対する駆動用の電力の供給を行わずに、映像信号記録手段をスタンバイ状態に設定する状態制御手段とを設けるようにしたものである。
【発明の効果】
【０００９】
この発明によれば、カメラから出力された映像信号を取得する映像信号取得手段と、外部から与えられる映像信号の記録条件を満足している場合に限り、映像信号取得手段により取得された映像信号を映像記録媒体に記録する映像信号記録手段と、その記録条件を満足していれば、映像信号記録手段に駆動用の電力を供給して、映像信号記録手段を映像信号の記録が可能な状態に設定する一方、その記録条件を満足していなければ、映像信号記録手段に対する駆動用の電力の供給を行わずに、映像信号記録手段をスタンバイ状態に設定する状態制御手段とを設けるように構成したので、映像記録媒体の使用量を節約することができるとともに、消費電力を低減することができる効果がある。
【図面の簡単な説明】
【００１０】
【図１】この発明の実施の形態１による映像信号記録装置を示す構成図である。
【図２】図１の映像信号記録装置におけるネットワーク制御部１１を示す構成図である。
【図３】この発明の実施の形態１による映像信号記録装置の処理内容を示すフローチャートである。
【図４】この発明の実施の形態２による映像信号記録装置のネットワーク制御部１１を示す構成図である。
【図５】この発明の実施の形態２による映像信号記録装置の処理内容を示すフローチャートである。
【図６】この発明の実施の形態３による映像信号記録装置のネットワーク制御部１１を示す構成図である。
【図７】この発明の実施の形態３による映像信号記録装置の処理内容を示すフローチャートである。
【図８】映像異常とスタンバイ状態の関係を示す説明図である。
【発明を実施するための形態】
【００１１】
実施の形態１．
図１はこの発明の実施の形態１による映像信号記録装置を示す構成図である。
図１において、監視カメラ１は例えばＬＡＮなどのネットワークに接続されており、監視領域を撮影して、その監視領域の映像信号を出力する処理を実施する。
操作設定部２は例えばキーボード、マウス、タッチパネルなどのマンマシンインタフェースなどから構成されており、監視カメラ１から出力された映像信号の記録条件を設定する処理を実施する。
即ち、操作設定部２はユーザによる記録条件（例えば、映像信号を記録する監視時間帯）の設定操作を受け付けて、その記録条件をネットワーク経由で映像信号記録装置３に与える処理を実施する。
図１では、操作設定部２がネットワークを介して映像信号記録装置３と接続されている例を示しているが、操作設定部２が映像信号記録装置３の内部に設けられていてもよい。
この場合には、操作設定部２は記録条件設定手段を構成する。
【００１２】
映像信号記録装置３はネットワーク制御部１１、映像記録部１２及び電源部１３から構成されている。
ネットワーク制御部１１は図２に示すようにネットワークインタフェース部２１、ＣＰＵ２２、記録制御部２３、スタンバイ制御部２４及びバックアップ保持部２５から構成されている。
【００１３】
映像記録部１２は例えばハードディスクや光磁気ディスクなどの記録装置から構成されており、ネットワーク制御部１１の制御の下で、監視領域の映像信号を記録する映像記録媒体である。
電源部１３はネットワーク制御部１１の制御の下で、駆動用の電力をネットワーク制御部１１の記録制御部２３（図２を参照）及び映像記録部１２に与える。
【００１４】
図２は図１の映像信号記録装置におけるネットワーク制御部１１を示す構成図である。
図２において、ネットワークインタフェース部２１はネットワークに対するインタフェース処理を行うネットワーク機器から構成されており、監視カメラ１から出力された映像信号を取得するとともに、操作設定部２により設定された記録条件を取得する処理を実施する。
ＣＰＵ２２はネットワークインタフェース部２１、記録制御部２３及びスタンバイ制御部２４の処理内容を制御するほか、ネットワークインタフェース部２１により取得された記録条件を満足しているか否かを判定し、その記録条件を満足していれば、映像信号の記録を行う旨の判断を行う一方、その記録条件を満足していなければ、映像信号の記録を行わない旨の判断を行う処理などを実施する。
【００１５】
記録制御部２３はＣＰＵ２２により映像信号の記録を行う旨の判断がなされると、ネットワークインタフェース部２１により取得された映像信号を映像記録部１２に書き込む処理を実施し、ＣＰＵ２２により映像信号の記録を行わない旨の判断がなされると、映像記録部１２に対する映像信号の書込処理を停止する。
なお、ネットワークインタフェース部２１、ＣＰＵ２２及び記録制御部２３から映像信号記録手段が構成されている。
【００１６】
スタンバイ制御部２４はＣＰＵ２２により映像信号の記録を行う旨の判断がなされると、駆動用の電力を与える旨を指示する制御信号を電源部１３に出力することにより、駆動用の電力を記録制御部２３及び映像記録部１２に供給して、映像信号記録装置３を映像信号の記録が可能な状態に設定する処理を実施する。
一方、ＣＰＵ２２により映像信号の記録を行わない旨の判断がなされると、駆動用の電力の供給を止める旨を指示する制御信号を電源部１３に出力することにより、記録制御部２３及び映像記録部１２に対する駆動用の電力の供給を停止して、映像信号記録装置３をスタンバイ状態に設定する処理を実施する。
なお、電源部１３、ＣＰＵ２２及びスタンバイ制御部２４から状態制御手段が構成されている。
【００１７】
バックアップ保持部２５は例えばバッテリなどから構成されており、映像信号記録装置３がスタンバイ状態に設定されているときに、記録制御部２３だけでなく、ネットワークインタフェース部２１、ＣＰＵ２２やスタンバイ制御部２４などへの電力供給も停止される場合、映像信号の記録条件を満足して、映像信号の記録を再開する際に、映像信号記録装置３がスタンバイ状態から通常状態（映像信号の記録が可能な状態）に復旧できるように、ネットワークインタフェース部２１、ＣＰＵ２２やスタンバイ制御部２４における必要最小限の部分に電力を供給する。
図３はこの発明の実施の形態１による映像信号記録装置の処理内容を示すフローチャートである。
【００１８】
次に動作について説明する。
ユーザは、監視領域の映像信号の記録を開始する前に、操作設定部２のマンマシンインタフェースを操作することで、監視カメラ１から出力された映像信号の記録条件を設定する（ステップＳＴ１）。
この実施の形態１では、説明の便宜上、映像信号の記録条件として、映像信号を記録する監視時間帯（記録スケジュール）を設定するものとする。例えば、ＡＭ８：００〜ＰＭ６：００の時間帯は監視を行うなどの記録条件が挙げられる。
操作設定部２は、ユーザによる記録条件の設定操作を受け付けると、その記録条件をネットワーク経由で映像信号記録装置３に出力する。
【００１９】
映像信号記録装置３のネットワークインタフェース部２１は、操作設定部２から出力された映像信号の記録条件を取得し、その記録条件をＣＰＵ２２に出力する。
ここでは説明の便宜上、映像信号の記録を開始する前の初期設定時では、映像信号記録装置３はスタンバイ状態ではなく、電源部１３から駆動用の電力が供給されて、各種の処理（例えば、映像信号の記録処理）を実施することが可能な通常状態であるものとする。
映像記録部１２も電源部１３から駆動用の電力が供給されており、映像信号を記録することが可能な状態であるものとする。
【００２０】
監視カメラ１は、監視領域の撮影を開始すると、その監視領域の映像信号をネットワーク経由で映像信号記録装置３に送信する。
映像信号記録装置３のネットワークインタフェース部２１は、監視カメラ１から送信された映像信号を取得する（ステップＳＴ２）。
【００２１】
ＣＰＵ２２は、ネットワークインタフェース部２１から映像信号の記録条件を受けると、その記録条件を満足しているか否かを判定する。
即ち、ＣＰＵ２２は、映像信号の記録条件として、映像信号を記録する監視時間帯が設定されているので、現在の時刻が監視時間帯内であるか否かを判定する。
ＣＰＵ２２は、現在の時刻が監視時間帯内であれば（ステップＳＴ３）、映像信号の記録を行う旨の判断を行う（ステップＳＴ４）。
一方、現在の時刻が監視時間帯外であれば（ステップＳＴ３）、映像信号の記録を行わない旨の判断を行う（ステップＳＴ５）。
【００２２】
記録制御部２３は、ＣＰＵ２２により映像信号の記録を行う旨の判断がなされると、ネットワークインタフェース部２１により取得された映像信号を映像記録部１２に書き込む処理を実施する（ステップＳＴ６）。
スタンバイ制御部２４は、ＣＰＵ２２により映像信号の記録を行う旨の判断がなされると、駆動用の電力を与える旨を指示する制御信号を電源部１３に出力する。
電源部１３は、スタンバイ制御部２４から駆動用の電力を与える旨を指示する制御信号を受けると、駆動用の電力をネットワーク制御部１１の記録制御部２３及び映像記録部１２に供給して、映像信号記録装置３の通常状態（映像信号の記録が可能な状態）を継続する（ステップＳＴ７）。なお、ネットワーク制御部１１のネットワークインタフェース部２１、ＣＰＵ２２及びスタンバイ制御部２４にも駆動用の電力を供給している。
【００２３】
記録制御部２３は、ＣＰＵ２２により映像信号の記録を行わない旨の判断がなされると、映像記録部１２に対する映像信号の書込処理を停止する（ステップＳＴ８）。
スタンバイ制御部２４は、ＣＰＵ２２により映像信号の記録を行わない旨の判断がなされると、駆動用の電力の供給を止める旨を指示する制御信号を電源部１３に出力する。
電源部１３は、スタンバイ制御部２４から駆動用の電力の供給を止める旨を指示する制御信号を受けると、ネットワーク制御部１１の記録制御部２３及び映像記録部１２に対する駆動用の電力の供給を停止して、映像信号記録装置３をスタンバイ状態に設定する（ステップＳＴ９）。
【００２４】
なお、映像信号記録装置３がスタンバイ状態に設定されているときでも、ネットワークインタフェース部２１、ＣＰＵ２２及びスタンバイ制御部２４には、電源部１３から電力が供給されている。
仮に、ネットワークインタフェース部２１、ＣＰＵ２２及びスタンバイ制御部２４にも、電力が供給されない状態に設定がなされる場合には、バックアップ保持部２５から電力が供給されるため、スタンバイ状態から通常状態に復旧することは可能である。
【００２５】
ＣＰＵ２２は、映像信号記録装置３がスタンバイ状態に設定されたのち、時刻が経過して、現在の時刻が監視時間帯に近づくと（例えば、監視時間帯の１分前）（ステップＳＴ１０）、映像信号の記録を開始できるようにするため、スタンバイ制御部２４から、駆動用の電力の供給を開始する旨を指示する制御信号を電源部１３に出力させる。
電源部１３は、スタンバイ制御部２４から駆動用の電力の供給を開始する旨を指示する制御信号を受けると、ネットワーク制御部１１の記録制御部２３及び映像記録部１２に対する駆動用の電力の供給を開始して、映像信号記録装置３をスタンバイ状態から通常状態に設定する（ステップＳＴ１１）。
以降、ステップＳＴ２に戻り、ステップＳＴ３〜ＳＴ７の処理又はステップＳＴ３〜ＳＴ１１の処理が実施される。
【００２６】
以上で明らかなように、この実施の形態１によれば、監視カメラ１から出力された映像信号を取得するネットワークインタフェース部２１と、操作設定部２により設定された映像信号の記録条件を満足している場合に限り、ネットワークインタフェース部２１により取得された映像信号を映像記録部１２に記録する記録制御部１２と、その記録条件を満足していれば、記録制御部２３及び映像記録部１２に駆動用の電力を供給して、映像信号記録装置３を通常状態に設定する一方、その記録条件を満足していなければ、記録制御部２３及び映像記録部１２に対する駆動用の電力の供給を行わずに、映像信号記録装置３をスタンバイ状態に設定するスタンバイ制御部２４とを設けるように構成したので、映像記録媒体である映像記録部１２の使用量を節約することができるとともに、消費電力を低減することができる効果を奏する。
【００２７】
この実施の形態１では、監視カメラ１が１台接続されている例を示したが、複数台の監視カメラ１を接続して、同等の処理を実施するようにしてもよい。
【００２８】
また、この実施の形態１では、映像信号の記録を開始する前の初期設定時において、映像信号記録装置３が通常状態に設定されているものを示したが、スタンバイ状態に設定されていてもよい。
この場合、現在の時刻が監視時間帯に近づくと、映像信号の記録を開始できるようにするため、映像信号記録装置３がスタンバイ状態から通常状態に設定される。
【００２９】
実施の形態２．
上記実施の形態１では、操作設定部２が映像信号の記録条件として、映像信号を記録する監視時間帯の設定操作を受け付けて、その記録条件をネットワーク経由で映像信号記録装置３に与えているものを示したが、操作設定部２が映像信号の記録条件として、外部からアラームが通知されている状況下であることの設定操作を受け付けて、その記録条件をネットワーク経由で映像信号記録装置３に与えるものであってもよい。
【００３０】
図４はこの発明の実施の形態２による映像信号記録装置のネットワーク制御部１１を示す構成図であり、図において、図２と同一符号は同一または相当部分を示すので説明を省略する。
アラーム制御部２６は例えば監視領域に設置されているセンサ（例えば、監視領域内への不審者の侵入検知を行うセンサ）から異常を知らせるアラーム信号が送信されると、そのアラーム信号を受信して、異常の発生をＣＰＵ２７に知らせる処理を実施する。
【００３１】
ＣＰＵ２７はネットワークインタフェース部２１、記録制御部２３、スタンバイ制御部２４及びアラーム制御部２６の処理内容を制御するほか、アラーム制御部２６からの異常発生の知らせの有無で、映像信号の記録条件を満足しているか否かを判定し、異常発生の知らせがあれば、その記録条件を満足しているものとして、映像信号の記録を行う旨の判断を行う一方、異常発生の知らせがなければ、その記録条件を満足していないものとして、映像信号の記録を行わない旨の判断を行う処理などを実施する。
なお、アラーム制御部２６及びＣＰＵ２７は、映像信号記録手段及び状態制御手段を構成している。
図５はこの発明の実施の形態２による映像信号記録装置の処理内容を示すフローチャートである。
【００３２】
次に動作について説明する。
ユーザは、監視領域の映像信号の記録を開始する前に、操作設定部２のマンマシンインタフェースを操作することで、監視カメラ１から出力された映像信号の記録条件を設定する（ステップＳＴ２１）。
この実施の形態２では、説明の便宜上、映像信号の記録条件として、外部からアラームが通知されている状況下であること（アラーム記録）を設定するものとする。
操作設定部２は、ユーザによる記録条件の設定操作を受け付けると、その記録条件をネットワーク経由で映像信号記録装置３に出力する。
【００３３】
映像信号記録装置３のネットワークインタフェース部２１は、操作設定部２から出力された映像信号の記録条件を取得し、その記録条件をＣＰＵ２７に出力する。
ここでは説明の便宜上、映像信号の記録を開始する前の初期設定時では、映像信号記録装置３はスタンバイ状態ではなく、電源部１３から駆動用の電力が供給されて、各種の処理（例えば、映像信号の記録処理）を実施することが可能な通常状態であるものとする。
映像記録部１２も電源部１３から駆動用の電力が供給されており、映像信号を記録することが可能な状態であるものとする。
【００３４】
監視カメラ１は、監視領域の撮影を開始すると、その監視領域の映像信号をネットワーク経由で映像信号記録装置３に送信する。
映像信号記録装置３のネットワークインタフェース部２１は、監視カメラ１から送信された映像信号を取得する（ステップＳＴ２２）。
【００３５】
アラーム制御部２６は、例えば、監視領域に設置されているセンサ（例えば、監視領域内への不審者の侵入検知を行うセンサ）から異常を知らせるアラーム信号が送信されると、そのアラーム信号を受信して、異常の発生をＣＰＵ２７に知らせる。
ＣＰＵ２７は、ネットワークインタフェース部２１から映像信号の記録条件を受けると、その記録条件を満足しているか否かを判定する。
即ち、ＣＰＵ２７は、映像信号の記録条件として、外部からアラームが通知されている状況下であることが設定されているので、アラーム制御部２６からの異常発生の知らせの有無で、映像信号の記録条件を満足しているか否かを判定する。
【００３６】
ＣＰＵ２７は、アラーム制御部２６から異常発生の知らせがあれば（ステップＳＴ２３）、その記録条件を満足しているものとして、映像信号の記録を行う旨の判断を行う（ステップＳＴ２４）。
一方、アラーム制御部２６から異常発生の知らせがなければ（ステップＳＴ２３）、その記録条件を満足していないものとして、映像信号の記録を行わない旨の判断を行う（ステップＳＴ２５）。
【００３７】
記録制御部２３は、ＣＰＵ２７により映像信号の記録を行う旨の判断がなされると、ネットワークインタフェース部２１により取得された映像信号を映像記録部１２に書き込む処理を実施する（ステップＳＴ２６）。
スタンバイ制御部２４は、ＣＰＵ２７により映像信号の記録を行う旨の判断がなされると、駆動用の電力を与える旨を指示する制御信号を電源部１３に出力する。
電源部１３は、スタンバイ制御部２４から駆動用の電力を与える旨を指示する制御信号を受けると、駆動用の電力をネットワーク制御部１１の記録制御部２３及び映像記録部１２に供給して、映像信号記録装置３の通常状態（映像信号の記録が可能な状態）を継続する（ステップＳＴ２７）。なお、ネットワーク制御部１１のネットワークインタフェース部２１、ＣＰＵ２７及びスタンバイ制御部２４にも駆動用の電力を供給している。
【００３８】
記録制御部２３は、ＣＰＵ２７により映像信号の記録を行わない旨の判断がなされると、映像記録部１２に対する映像信号の書込処理を停止する（ステップＳＴ２８）。
スタンバイ制御部２４は、ＣＰＵ２７により映像信号の記録を行わない旨の判断がなされると、駆動用の電力の供給を止める旨を指示する制御信号を電源部１３に出力する。
電源部１３は、スタンバイ制御部２４から駆動用の電力の供給を止める旨を指示する制御信号を受けると、ネットワーク制御部１１の記録制御部２３及び映像記録部１２に対する駆動用の電力の供給を停止して、映像信号記録装置３をスタンバイ状態に設定する（ステップＳＴ２９）。
【００３９】
なお、映像信号記録装置３がスタンバイ状態に設定されているときでも、アラーム制御部２６、ＣＰＵ２７及びスタンバイ制御部２４には、電源部１３から電力が供給されている。
仮に、ネットワークインタフェース部２１、ＣＰＵ２７及びスタンバイ制御部２４にも、電力が供給されない状態に設定がなされる場合には、バックアップ保持部２５から電力が供給されるため、スタンバイ状態から通常状態に復旧することは可能である。
【００４０】
ＣＰＵ２７は、映像信号記録装置３がスタンバイ状態に設定されたのち、アラーム制御部２６がアラーム信号を受信して、アラーム制御部２６から異常発生の知らせを受けると（ステップＳＴ３０）、映像信号の記録を開始できるようにするため、スタンバイ制御部２４から、駆動用の電力の供給を開始する旨を指示する制御信号を電源部１３に出力させる。
電源部１３は、スタンバイ制御部２４から駆動用の電力の供給を開始する旨を指示する制御信号を受けると、ネットワーク制御部１１の記録制御部２３及び映像記録部１２に対する駆動用の電力の供給を開始して、映像信号記録装置３をスタンバイ状態から通常状態に設定する（ステップＳＴ３１）。
【００４１】
以降、ステップＳＴ２２に戻り、ステップＳＴ２３〜ＳＴ２７の処理又はステップＳＴ２３〜ＳＴ３１の処理が実施される。
なお、この実施の形態２では、アラーム制御部２６が外部からアラーム信号を受信すると、外部からアラーム信号を解除する解除信号を受信するまで、異常の発生が継続しているものとして、ステップＳＴ２２〜ＳＴ３１の処理を実施する。
【００４２】
以上で明らかなように、この実施の形態２によれば、映像信号の記録条件として、外部からアラームが通知されている状況下であることが設定されている場合、外部からアラームが通知されていれば、記録制御部２３及び映像記録部１２に駆動用の電力を供給して、映像信号記録装置３を通常状態に設定し、外部からアラームが通知されていなければ、記録制御部２３及び映像記録部１２に対する駆動用の電力の供給を行わずに、映像信号記録装置３をスタンバイ状態に設定するように構成したので、外部からアラームが通知されている場合に限り、映像信号の記録と駆動用の電力の供給が行われるようになり、その結果、映像記録媒体である映像記録部１２の使用量を節約することができるとともに、消費電力を低減することができる効果を奏する。
【００４３】
実施の形態３．
上記実施の形態１では、操作設定部２が映像信号の記録条件として、映像信号を記録する監視時間帯の設定操作を受け付けて、その記録条件をネットワーク経由で映像信号記録装置３に与えているものを示したが、操作設定部２が映像信号の記録条件として、映像異常が発生していない状況下であることの設定操作を受け付けて、その記録条件をネットワーク経由で映像信号記録装置３に与えるものであってもよい。
【００４４】
図６はこの発明の実施の形態３による映像信号記録装置のネットワーク制御部１１を示す構成図であり、図において、図２と同一符号は同一または相当部分を示すので説明を省略する。
映像異常検知部２８はネットワークインタフェース部２１が監視カメラ１から送信された環境照度を示す環境照度データを受信すると、その環境照度データが示す環境照度が所定の閾値より低い場合、映像異常の発生を検知する処理を実施する。
ここでは、監視カメラ１から送信された環境照度データを用いて、映像異常の発生を検知する例を示しているが、これに限るものではなく、例えば、監視カメラ１から送信された映像信号を解析して、映像異常の発生を検知するようにしてもよい。
【００４５】
ＣＰＵ２９はネットワークインタフェース部２１、記録制御部２３、スタンバイ制御部２４及び映像異常検知部２８の処理内容を制御するほか、映像異常検知部２８による映像異常の検知の有無で、映像信号の記録条件を満足しているか否かを判定し、映像異常の発生が検知されていなければ、その記録条件を満足しているものとして、映像信号の記録を行う旨の判断を行う一方、映像異常の発生が検知されていれば、その記録条件を満足していないものとして、映像信号の記録を行わない旨の判断を行う処理などを実施する。
なお、映像異常検知部２８及びＣＰＵ２９は、映像信号記録手段及び状態制御手段を構成している。
図７はこの発明の実施の形態３による映像信号記録装置の処理内容を示すフローチャートである。
【００４６】
次に動作について説明する。
ユーザは、監視領域の映像信号の記録を開始する前に、操作設定部２のマンマシンインタフェースを操作することで、監視カメラ１から出力された映像信号の記録条件を設定する（ステップＳＴ４１）。
この実施の形態３では、説明の便宜上、映像信号の記録条件として、映像異常が発生していない状況下であることを設定するものとする。
操作設定部２は、ユーザによる記録条件の設定操作を受け付けると、その記録条件をネットワーク経由で映像信号記録装置３に出力する。
【００４７】
ここで、図８は映像異常とスタンバイ状態の関係を示す説明図である。
例えば、監視カメラ１の環境照度が閾値Ａより低い状況下では、監視カメラ１から出力される映像信号が示す映像は暗い映像となり、その映像信号を記録しても、監視領域の様子を十分に確認することができないことが想定される。
したがって、監視カメラ１の環境照度が閾値Ａより低い状況下での映像信号は、有用度が低く、映像記録部１２に記録する価値が低いと考えられる。
【００４８】
映像信号記録装置３のネットワークインタフェース部２１は、操作設定部２から出力された映像信号の記録条件を取得し、その記録条件をＣＰＵ２９に出力する。
ここでは説明の便宜上、映像信号の記録を開始する前の初期設定時では、映像信号記録装置３はスタンバイ状態ではなく、電源部１３から駆動用の電力が供給されて、各種の処理（例えば、映像信号の記録処理）を実施することが可能な通常状態であるものとする。
映像記録部１２も電源部１３から駆動用の電力が供給されており、映像信号を記録することが可能な状態であるものとする。
【００４９】
監視カメラ１は、監視領域の撮影を開始すると、その監視領域の映像信号をネットワーク経由で映像信号記録装置３に送信するとともに、環境照度を示す環境照度データをネットワーク経由で映像信号記録装置３に送信する。
映像信号記録装置３のネットワークインタフェース部２１は、監視カメラ１から送信された映像信号と環境照度データを取得する（ステップＳＴ４２）。
【００５０】
映像異常検知部２８は、ネットワークインタフェース部２１が環境照度データを取得すると、その環境照度データが示す環境照度と閾値Ａを比較し、その環境照度が閾値Ａより低い場合、映像異常の発生を検知する。
ＣＰＵ２９は、ネットワークインタフェース部２１から映像信号の記録条件を受けると、その記録条件を満足しているか否かを判定する。
即ち、ＣＰＵ２９は、映像信号の記録条件として、映像異常が発生していない状況下であることが設定されているので、映像異常検知部２８による映像異常の検知の有無で、映像信号の記録条件を満足しているか否かを判定する。
【００５１】
ＣＰＵ２９は、映像異常検知部２８が映像異常を検知していなければ（ステップＳＴ４３）、その記録条件を満足しているものとして、映像信号の記録を行う旨の判断を行う（ステップＳＴ４４）。
一方、映像異常検知部２８が映像異常を検知していれば（ステップＳＴ４３）、その記録条件を満足していないものとして、映像信号の記録を行わない旨の判断を行う（ステップＳＴ４５）。
【００５２】
記録制御部２３は、ＣＰＵ２９により映像信号の記録を行う旨の判断がなされると、ネットワークインタフェース部２１により取得された映像信号を映像記録部１２に書き込む処理を実施する（ステップＳＴ４６）。
スタンバイ制御部２４は、ＣＰＵ２９により映像信号の記録を行う旨の判断がなされると、駆動用の電力を与える旨を指示する制御信号を電源部１３に出力する。
電源部１３は、スタンバイ制御部２４から駆動用の電力を与える旨を指示する制御信号を受けると、駆動用の電力をネットワーク制御部１１の記録制御部２３及び映像記録部１２に供給して、映像信号記録装置３の通常状態（映像信号の記録が可能な状態）を継続する（ステップＳＴ４７）。なお、ネットワーク制御部１１のネットワークインタフェース部２１、ＣＰＵ２９及びスタンバイ制御部２４にも駆動用の電力を供給している。
【００５３】
記録制御部２３は、ＣＰＵ２９により映像信号の記録を行わない旨の判断がなされると、映像記録部１２に対する映像信号の書込処理を停止する（ステップＳＴ４８）。
スタンバイ制御部２４は、ＣＰＵ２９により映像信号の記録を行わない旨の判断がなされると、駆動用の電力の供給を止める旨を指示する制御信号を電源部１３に出力する。
電源部１３は、スタンバイ制御部２４から駆動用の電力の供給を止める旨を指示する制御信号を受けると、ネットワーク制御部１１の記録制御部２３及び映像記録部１２に対する駆動用の電力の供給を停止して、映像信号記録装置３をスタンバイ状態に設定する（ステップＳＴ４９）。
【００５４】
なお、映像信号記録装置３がスタンバイ状態に設定されているときでも、映像異常検知部２８、ＣＰＵ２９及びスタンバイ制御部２４には、電源部１３から電力が供給されている。
仮に、ネットワークインタフェース部２１、ＣＰＵ２９及びスタンバイ制御部２４にも、電力が供給されない状態に設定がなされる場合には、バックアップ保持部２５から電力が供給されるため、スタンバイ状態から通常状態に復旧することは可能である。
【００５５】
ＣＰＵ２９は、映像信号記録装置３がスタンバイ状態に設定されたのち、映像異常検知部２８により映像異常が検知されなくなると（ステップＳＴ５０）、映像信号の記録を開始できるようにするため、スタンバイ制御部２４から、駆動用の電力の供給を開始する旨を指示する制御信号を電源部１３に出力させる。
電源部１３は、スタンバイ制御部２４から駆動用の電力の供給を開始する旨を指示する制御信号を受けると、ネットワーク制御部１１の記録制御部２３及び映像記録部１２に対する駆動用の電力の供給を開始して、映像信号記録装置３をスタンバイ状態から通常状態に設定する（ステップＳＴ５１）。
以降、ステップＳＴ４２に戻り、ステップＳＴ４３〜ＳＴ４７の処理又はステップＳＴ４３〜ＳＴ５１の処理が実施される。
【００５６】
以上で明らかなように、この実施の形態３によれば、映像信号の記録条件として、映像異常が発生していない状況下であることが設定されている場合、映像異常の発生が検知されていなければ、記録制御部２３及び映像記録部１２に駆動用の電力を供給して、映像信号記録装置３を通常状態に設定し、映像異常の発生が検知されていれば、記録制御部２３及び映像記録部１２に対する駆動用の電力の供給を行わずに、映像信号記録装置３をスタンバイ状態に設定するように構成したので、映像異常が発生していない場合に限り、映像信号の記録と駆動用の電力の供給が行われるようになり、その結果、映像記録媒体である映像記録部１２の使用量を節約することができるとともに、消費電力を低減することができる効果を奏する。
【００５７】
この実施の形態３では、環境照度データが示す環境照度と閾値Ａを比較することで、映像異常を検知するものを示したが、ユーザが操作設定部２を操作することで、閾値Ａの変更を受け付けるようにしてもよい。
【００５８】
また、この実施の形態３では、環境照度が閾値Ａより低い場合に、映像異常の発生を検知するものを示したが、これに限るものではなく、例えば、断線、白飛び、被写体の動きの有無などに基づいて、映像異常の発生を検知するようにしてもよい。
【００５９】
また、この実施の形態３では、映像異常検知部２８がネットワーク制御部１１内に設置されているものを示したが、映像異常検知部２８を監視カメラ１内に設置して、映像異常検知部２８が異常検知信号を映像信号記録装置３に送信するようにしてもよい。
【００６０】
なお、本願発明はその発明の範囲内において、各実施の形態の自由な組み合わせ、あるいは各実施の形態の任意の構成要素の変形、もしくは各実施の形態において任意の構成要素の省略が可能である。
【符号の説明】
【００６１】
１  監視カメラ、２  操作設定部（記録条件設定手段）、３  映像信号記録装置、１１  ネットワーク制御部、１２  映像記録部（映像記録媒体）、１３  電源部（状態制御手段）、２１  ネットワークインタフェース部（映像信号記録手段）、２２，２７，２９  ＣＰＵ（映像信号記録手段、状態制御手段）、２３  記録制御部（映像信号記録手段）、２４  スタンバイ制御部（状態制御手段）、２５  バックアップ保持部、２６  アラーム制御部（映像信号記録手段、状態制御手段）、２８  映像異常検知部（映像信号記録手段、状態制御手段）。
【図１】
2012165101.tif 000003
【図２】
2012165101.tif 000004
【図３】
2012165101.tif 000005
【図４】
2012165101.tif 000006
【図５】
2012165101.tif 000007
【図６】
2012165101.tif 000008
【図７】
2012165101.tif 000009
【図８】
2012165101.tif 000010